(57)【要約】      （修正有）【課題】表示品質が向上された表示装置を提供する。【解決手段】表示装置は、表示パネル２００、バックライトユニット３００、支持部材４１０，４２０、保護部材１００Ｕ，１００Ｌ、および間隔保持部材５００を含んでいる。バックライトユニットは、光源ブロックを実装する回路基板と導光体とを含んでいる。間隔保持部材は、回路基板を支持部材に密着させ、光源ブロックの出射面と導光体の入射面との間の距離を一定に保持させる。導光体は領域に関係なく、光源ブロックから均一な光を受信する。【選択図】図１
2014063134.tif 000002
【特許請求の範囲】
【請求項１】
少なくとも１つの第１挿入溝を備えた回路基板、および前記回路基板に実装された複数の発光ブロックを含む光源と、
前記光源から受信した光をガイドする導光体と、
前記導光体から前記ガイドされた光を透過させ、映像を生成する表示パネルと、
第１底部、および前記第１底部から折り曲げられ、前記少なくとも１つの第１挿入溝に重畳する第２挿入溝を備えた第１側壁部を含む第１支持部材と、
前記第１底部を支持する第２底部、および前記第２底部から折り曲げられ、前記第２挿入溝に重畳する第３挿入溝を備えた第２側壁部を含む保護部材と、
一部が前記第１挿入溝、前記第２挿入溝、および前記第３挿入溝に挿入され、前記複数の発光ブロックの出射面と前記導光体の入光面との間の間隔を一定に保持させる間隔保持部材とを含むことを特徴とする表示装置。
【請求項２】
前記間隔保持部材は、
前記入光面と前記回路基板の一面に接触する接触部と、
前記接触部に接続され、少なくとも前記第１挿入溝と前記第２挿入溝に挿入される接続部と、
前記接続部に接続される固定部とを含むことを特徴とする請求項１に記載の表示装置。
【請求項３】
前記接触部の形状と前記固定部の形状は、互いに異なることを特徴とする請求項２に記載の表示装置。
【請求項４】
前記接続部は前記第１挿入溝、前記第２挿入溝、及び前記第３挿入溝に挿入され、
前記固定部は前記保護部材から突出していることを特徴とする請求項２に記載の表示装置。
【請求項５】
前記接続部は前記第１挿入溝と前記第２挿入溝に挿入され、
前記固定部は前記第３挿入溝に挿入され、
前記固定部は前記第３挿入溝と同一の形状を有することを特徴とする請求項２に記載の表示装置。
【請求項６】
前記導光体と前記保護部材との間に配置されて前記導光体を支持し、前記導光体と前記保護部材との間の間隔を一定に保持させる第２支持部材をさらに含み、
前記第２支持部材の一部は、前記入光面に対向する前記導光体の対光面と接触することを特徴とする請求項１に記載の表示装置。
【請求項７】
少なくとも１つの第１開口部を含む回路基板、及び前記回路基板に実装された複数の発光ブロックを含む光源と、
前記光源から受信した光をガイドする導光体と、
前記導光体から前記ガイドされた光を透過させ、映像を生成する表示パネルと、
前記回路基板を支持し、前記少なくとも１つの第１開口部に重畳する第２開口部を含む支持部材と、
前記支持部材を支持する底部、および前記底部から折り曲げられた側壁部を含む保護部材と、
一部が前記第１開口部と第２開口部に挿入され、前記複数の発光ブロックの出射面と前記導光体の入光面との間の間隔を一定に保持させる間隔保持部材とを含むことを特徴とする表示装置。
【請求項８】
前記間隔保持部材は、
前記回路基板の上側に配置され、前記導光体の前記入光面に接触する接触部と、
前記接触部に接続され、前記第１開口部及び前記第２開口部に挿入される接続部と、
前記接続部に接続され、前記支持部材の下側に配置される固定部とを含むことを特徴とする請求項７に記載の表示装置。
【請求項９】
前記第１開口部及び第２開口部の各々は、
平面上で第１方向に延びる第１部分と、前記第１方向に交差する第２方向に延びる第２部分とを含み、
前記第１開口部は前記第２開口部と同一の形状を有することを特徴とする請求項８に記載の表示装置。
【請求項１０】
前記接続部は、前記第１開口部及び前記第２開口部の各々の前記第２部分に位置することを特徴とする請求項９に記載の表示装置。
【発明の詳細な説明】
【技術分野】
【０００１】
本発明は、表示装置に係り、表示品質が向上した表示装置に関する。
【背景技術】
【０００２】
表示装置は、透過型、半透過型、または反射型などに区分される。透過型、半透過型表示装置は、映像を表示する表示パネルと、表示パネルに光を供給するバックライトユニットとを含む。
【０００３】
バックライトユニットは、光を生成する光源と、光源から受信した光を表示パネル方向にガイドする導光体とを備える。光源は、回路基板と、回路基板に実装された複数の発光ブロックとを含む。複数の発光ブロックは導光体の入光面と対向する。
【先行技術文献】
【特許文献】
【０００４】
【特許文献１】韓国特許公開第１０−２０１１−０１３４０２９号公報
【発明の概要】
【発明が解決しようとする課題】
【０００５】
本発明は、導光体に均一な光を提供するバックライトユニットを備えた表示装置を提供することを目的とする。
【課題を解決するための手段】
【０００６】
本発明の一実施形態による表示装置は、光源、導光体、表示パネル、第１支持部材、保護部材、および間隔保持部材を含んでいる。導光体は、光源から受信した光をガイドし、表示パネルは、ガイドされた光を透過させ、映像を生成する。
【０００７】
光源は、少なくとも１つの第１挿入溝を備えた回路基板と、回路基板に実装された複数の発光ブロックとを含んでいる。第１支持部材は、第１底部と、第１底部から折り曲げられ、少なくとも１つの第１挿入溝に重畳する第２挿入溝とを備えている。保護部材は、第１底部を支持する第２底部と、第２底部から折り曲げられ、第２挿入溝に重畳する第３挿入溝を備えた第２側壁部とを含んでいる。
【０００８】
間隔保持部材は、一部が第１挿入溝、第２挿入溝、および第３挿入溝に挿入され、複数の発光ブロックの出射面と導光体の入光面との間の間隔を一定に保持させる。
【０００９】
間隔保持部材は、入光面及び回路基板の一面に接触する接触部と、接触部に接続され、少なくとも第１挿入溝及び第２挿入溝に挿入される接続部と、接続部に接続される固定部とを含む。
【００１０】
複数の発光ブロックの出射面の各々は回路基板の一面に平行である。
【００１１】
導光体と保護部材との間に配置されて導光体を支持し、導光体と保護部材との間の間隔を一定に保持させる第２支持部材をさらに含んでいる。
【００１２】
本発明の一実施形態による表示装置は、光源、導光体、表示パネル、第１支持部材、保護部材、および間隔保持部材を含んでいる。導光体は、光源から受信した光をガイドし、表示パネルは、ガイドされた光を透過させ、映像を生成する。
【００１３】
光源は、少なくとも１つの第１開口部を含む回路基板と、回路基板に実装された複数の発光ブロックとを含んでいる。支持部材は、回路基板を支持し、少なくとも１つの第１開口部に重畳する第２開口部を含んでいる。
【００１４】
間隔保持部材は、一部が第１開口部および第２開口部に挿入され、複数の発光ブロックの出射面と導光体の入光面との間の間隔を一定に保持させる。
【００１５】
間隔保持部材は、回路基板の上側に配置され、導光体の入光面に接触する接触部と、接触部に接続され、第１開口部及び第２開口部に挿入される接続部と、接続部に接続され、支持部材の下側に配置される固定部とを含んでいる。
【００１６】
第１開口部および第２開口部の各々は、平面上で第１方向に延長された第１部分と、第１方向に交差する第２方向に延長された第２部分とを含んでいる。
【発明の効果】
【００１７】
上述のように、間隔保持部材により複数の発光ブロックの出射面と導光体の入光面との間の間隔は一定に保持される。出射面と入光面との間の距離は全部同一である。したがって、導光体は、領域に関係なく、均一な光を受信する。
【００１８】
均一な光を受信した導光体は、領域に関係なく、表示パネルに均一な光を提供する。均一な光を受信した表示パネルは、輝度が均一な映像を生成する。
【００１９】
第２支持部材は、導光体を一定の位置に固定させる。表示装置に外部からの衝撃が加わっても、出射面と入光面との間の間隔は一定に保持される。
【図面の簡単な説明】
【００２０】
【図１】本発明の一実施形態による表示装置の分解斜視図である。
【図２】図１に示した表示装置の一部の構成に対する分解斜視図である。
【図３】図２に示した構成が結合した状態を示した平面図である。
【図４Ａ】本発明の一実施形態による間隔保持部材の斜視図である。
【図４Ｂ】本発明の一実施形態による間隔保持部材の斜視図である。
【図５Ａ】図３の一部分を拡大して示した図である。
【図５Ｂ】図３の一部分を拡大して示した図である。
【図６Ａ】本発明の一実施形態による表示装置の一部を拡大して示した図である。
【図６Ｂ】本発明の一実施形態による表示装置の一部を拡大して示した図である。
【図６Ｃ】本発明の一実施形態による表示装置の一部を拡大して示した図である。
【図７】本発明の一実施形態による表示装置の分解斜視図である。
【図８】図７に示した表示装置の一部の構成に対する分解斜視図である。
【図９】一実施形態による間隔保持部材の斜視図である。
【図１０Ａ】本発明の一実施形態による表示装置の一部を拡大して示した図である。
【図１０Ｂ】本発明の一実施形態による表示装置の一部を拡大して示した図である。
【発明を実施するための形態】
【００２１】
以下、添付の図面を参照して本発明の好ましい実施形態をより詳細に説明する。
【００２２】
本発明に係る特定の実施形態を図面に例示して本文に詳細に説明する。しかし、これは本発明を特定の開示形態について限定するものではない。本発明は、様々に変更されてもよく、様々な形を有してもよいので、本発明の思想および技術範囲に含まれるすべての変更、均等物乃至代替物が本実施形態に含まれるものと理解されるべきである。
【００２３】
各図面を説明しながら、同様の参照符号を同様の構成要素において使用した。添付された図面において、構造物の寸法は、本発明の明確性のために、実際よりも拡大して示した。
【００２４】
図１は、本発明の一実施形態による表示装置の分解斜視図である。図２は、図１に示した表示装置の一部の構成に対する分解斜視図であり、図３は、図２に示した構成が結合した状態を示した平面図である。
【００２５】
図１〜図３に示したように、表示装置は、保護部材１００Ｕ、１００Ｌと、表示パネル２００と、バックライトユニット３００と、支持部材４１０、４２０と、間隔保持部材５００とを含んでいる。
【００２６】
図１に示したように、保護部材１００Ｕ、１００Ｌは、互いに結合する上部保護部材１００Ｕと下部保護部材１００Ｌを含んでいる。上部保護部材１００Ｕと、下部保護部材１００Ｌは、表示装置の外面を構成し、他の構成を内部に収容する。
【００２７】
上部保護部材１００Ｕは、表示パネル２００の上側に配置されている。上部保護部材１００Ｕは、表示パネル２００の一部領域、例えば表示領域ＤＡを露出させる開口部１００Ｕ−ＯＰを備えている。上部保護部材１００Ｕは、表示パネル２００の非表示領域ＮＤＡを保護する。非表示領域ＮＤＡは、表示領域ＤＡに隣接し、映像が生成されない領域である。
【００２８】
下部保護部材１００Ｌは、表示パネル２００の下側に配置されている。下部保護部材１００Ｌは、底部１１０（以下、第１底部）と、第１底部１１０から上側に折り曲げられた側壁部１２０（以下、第１側壁部）を含んでいる。
【００２９】
例えば、第１底部１１０は、四角形であるとよい。その場合、第１側壁部１２０は、第１底部１１０の４つの辺から折り曲げられている。第１側壁部１２０は、第１底部１１０の４つの辺に対応するように４つの部分に分けられるとよい。
【００３０】
第１側壁部１２０は、少なくとも１つの挿入溝１２０−Ｇ（以下、第１挿入溝）を備えている。第１挿入溝１２０−Ｇは、第１側壁部１２０の４つの部分のうちのいずれか一部分に備える。図２と図３に示したように、４つの部分のうちいずれか一部分の両側の末端に２つの第１挿入溝１２０−Ｇが各々配置されるとよい。ただし、これは一例に過ぎず、第１挿入溝１２０−Ｇは、後述の第２挿入溝ＰＣＢ−Ｇに対応するように配置されてもよい。
【００３１】
表示装置は、中間保護部材１００Ｍをさらに含んでもよい。中間保護部材１００Ｍは、上部保護部材１００Ｕと、下部保護部材１００Ｌとの間に配置されている。中間保護部材１００Ｍは、表示パネル２００の非表示領域ＮＤＡに重畳する長方形のフレームであるとよい。中間保護部材１００Ｍは、内側に位置した開口部１００Ｍ−ＯＰを含む。中間保護部材１００Ｍは、表示パネル２００の下側で表示パネル２００を支持している。
【００３２】
表示パネル２００は、バックライトユニット３００から光を受信し、映像を生成する。表示パネル２００は、透過型または半透過型表示パネルである。例えば、表示パネル２００は、液晶表示パネル（ｌｉｑｕｉｄ  ｃｒｙｓｔａｌ  ｄｉｓｐｌａｙ  ｐａｎｅｌ）または電気泳動表示パネル（ｅｌｅｃｔｒｏｐｈｏｒｅｔｉｃ  ｄｉｓｐｌａｙ  ｐａｎｅｌ）などであるとよい。本実施形態では、表示パネル２００が第１基板２１０と第２基板２２０とを含む液晶表示パネルである例を説明する。
【００３３】
バックライトユニット３００は、光を生成する光源ＬＳと、光源ＬＳから受信した光を表示パネル２００方向にガイドする導光体ＬＧを備えている。
【００３４】
光源ＬＳは、回路基板ＰＣＢと、回路基板ＰＣＢに実装された複数の発光ブロックＬＢとを含んでいる。回路基板ＰＣＢは、図示しない絶縁層と配線層とを備えている。回路基板ＰＣＢは、後述の導光体ＬＧの入光面ＣＳ１に沿って延びる形状である。複数の発光ブロックＬＢの各々は、発光ダイオードのような発光素子を含んでいる。
【００３５】
その他、光源ＬＳは、回路基板ＰＣＢに実装され、複数の発光ブロックＬＢを制御する能動素子をさらに含んでもよい。複数の発光ブロックＬＢは、回路基板ＰＣＢの配線の各々に接続されている。複数の発光ブロックＬＢは、電気的信号を受信する。この電気的信号は、電源電圧とディミング信号とを含んでいる。
【００３６】
回路基板ＰＣＢは、第１側壁部１２０のいずれか一部分に対向する。回路基板ＰＣＢは、少なくとも１つの第１挿入溝１２０−Ｇに重畳する少なくとも１つの挿入溝ＰＣＢ−Ｇ（以下第２挿入溝）を備えている。図２と図３とに示したように、回路基板ＰＣＢの両側の末端に２つの第２挿入溝ＰＣＢ−Ｇを各々配置することができる。
【００３７】
図１と図３とに示したように、導光体ＬＧは、第１面ＵＳと、第１面ＵＳと平行に対向する第２面（図示しない）と、第１面ＵＳと第２面とを接続する複数の接続面ＣＳ１〜ＣＳ４とを含んでいる。導光体ＬＧは、長方形のプレートであるとよい。
【００３８】
複数の接続面ＣＳ１〜ＣＳ４のうちのいずれか一つの接続面ＣＳ１は、複数の発光ブロックＬＢに対向する。本実施形態では、複数の発光ブロックＬＢに対向するいずれか１つの接続面ＣＳ１は、入光面として定義される。また、入光面ＣＳ１に対向する他の１つの接続面ＣＳ３は対光面として定義される。
【００３９】
本実施形態では、他の接続面ＣＳ２、ＣＳ４は、各々第１側面ＣＳ２と第２側面ＣＳ４として定義される。第１側面ＣＳ２と第２側面ＣＳ４は、各々入光面ＣＳ１と対光面ＣＳ３とを接続し、互いに対向する。入光面ＣＳ１と対光面ＣＳ３は、第１方向Ｄ１に沿って延び、第１側面ＣＳ２と第２側面ＣＳ４は、第１方向Ｄ１に直交する第２方向Ｄ２に沿って延びる。
【００４０】
第１面ＵＳは、入光面ＣＳ１に入射された光が出射する面である。第２面（図示しない）は、導光体ＬＧの厚さ方向に第１面ＵＳと対向する面である。
【００４１】
支持部材４１０、４２０は、第１支持部材４１０と第２支持部材４２０とを含んでいる。第１支持部材４１０は、底部４１２（以下、第２底部）と第２底部４１２から折り曲げられた側壁部４１４（以下、第２側壁部）とを含んでいる。
【００４２】
第２底部４１２は、導光体ＬＧの一部を支持している。第１支持部材４１０は、下部保護部材１００Ｌに固定することができる。図２に示したように、第２底部４１２は、螺子釘ＳＣにより、第１底部１１０に固定することができる。螺子釘ＳＣは、第２底部４１２の第１貫通ホールＴＨ１及び第１底部１１０の第２貫通ホールＴＨ２に挿入される。螺子釘ＳＣは、ボルトなどに変更されてもよい。
【００４３】
第２側壁部４１４は、第１側壁部１２０のいずれか一部分に対向する。第２側壁部４１４は、第１挿入溝１２０−Ｇに重畳する少なくとも１つの挿入溝４１４−Ｇ（第３挿入溝）を備えている。
【００４４】
第２支持部材４２０は、導光体ＬＧを支持している。表示装置は、複数の第２支持部材の４２０を含んでもよい。図１〜図３には２つの第２支持部材４２０を例示的に示した。
【００４５】
２つの第２支持部材の４２０は、導光体ＬＧと第１側壁部１２０との間に配置されている。平面視で２つの第２支持部材の４２０は、導光体ＬＧの対光面ＣＳ３に隣接するコーナに対応するように配置されている。
【００４６】
２つの第２支持部材の４２０のうちの１つは、導光体ＬＧの第２面（図示しない）、対光面ＣＳ３、および第１側面ＣＳ２と接触する。２つの第２支持部材４２０のうちの他の１つは、導光体ＬＧの第２面（図示しない）、対光面ＣＳ３、および第２側面ＣＳ４と接触する。２つの第２支持部材４２０は、ポリカーボネート、ポリウレタンのようなプラスチックやシリコンなどで構成されるとよい。
【００４７】
間隔保持部材５００は、複数の発光ブロックＬＢと導光体ＬＧの入光面ＣＳ１との間の間隔を一定に保持させる。図３に示したように、間隔保持部材５００の一部が第１挿入溝１２０−Ｇ、第２挿入溝ＰＣＢ−Ｇ、および第３挿入溝４１４−Ｇに挿入される。
【００４８】
図４Ａと図４Ｂは、本発明の一実施形態による間隔保持部材の斜視図である。以下、図４Ａ及び図４Ｂを参照して、間隔保持部材５００についてより詳細に説明する。
【００４９】
間隔保持部材５００は、接触部５１０と、固定部５２０と、接触部５１０と固定部５２０とを接続する接続部５３０とを含んでいる。間隔保持部材５００は、ポリカーボネート、ポリウレタンのようなプラスチックやシリコンなどで構成するとよい。ポリカーボネートは、他の物質よりも硬度が優れている。
【００５０】
接触部５１０の形状と固定部５２０の形状は、互いに異なってもよい。図４Ａに示したように、間隔保持部材５００は、互いに異なる面積を有する接触部５１０と固定部５２０とを含んでもよい。図４Ｂに示したように、間隔保持部材５００は、四角形の接触部５１０と円形の固定部５２０とを含んでもよい。
【００５１】
形状が異なる接触部５１０と固定部５２０とを含む間隔保持部材５００は、組み立てる過程で、接触部５１０と固定部５２０との位置が互いに変わらない。他の実施形態では、接触部５１０と固定部５２０の形状を同一としてもよい。
【００５２】
図５Ａと図５Ｂは、図３の一部を拡大して示した図である。図５Ａは、間隔保持部材５００が配置された部分を拡大して示した平面図であり、図５Ｂは、第２支持部材４２０が配置された部分を拡大して示した斜視図である。
【００５３】
図５Ａに示したように、第２側壁部４１４は、第１側壁部１２０に接触している。第２側壁部４１４の外面は、第１側壁部１２０の内面に接触している。回路基板ＰＣＢは、第２側壁部４１４に接触している。回路基板ＰＣＢは、第２側壁部４１４の内面に接触している。第１側壁部１２０と回路基板ＰＣＢとは、第２側壁部４１４を挟んで配置されている。ここで、各部材の外面及び内面は図５Ａ上で左側面及び右側面を各々意味する。
【００５４】
複数の発光ブロックＬＢの出射面ＬＢＳの各々は、第１側壁部１２０、第２側壁部４１４、および回路基板ＰＣＢの一面と平行である。接触部５１０は、入光面ＣＳ１と回路基板ＰＣＢの一面と接触している。複数の発光ブロックＬＢの出射面ＬＢＳと入光面ＣＳ１との間の間隔Ｗ１０は、接触部５１０によって一定に保持される。
【００５５】
第１挿入溝１２０−Ｇ、第２挿入溝ＰＣＢ−Ｇ、および第３挿入溝４１４−Ｇは並んで整列される。第１挿入溝１２０−Ｇ、第２挿入溝ＰＣＢ−Ｇ、および第３挿入溝４１４−Ｇの形状は、互いに同一である。接続部５３０は第１挿入溝１２０−Ｇ、第２挿入溝ＰＣＢ−Ｇ、および第３挿入溝４１４−Ｇに挿入される。接続部５３０は外圧によって、第１挿入溝１２０−Ｇ、第２挿入溝ＰＣＢ−Ｇ、および第３挿入溝４１４−Ｇに圧入される。
【００５６】
固定部５２０は、第１側壁部１２０から突出している。固定部の一部は、第１側壁部１２０の外面に接触している。間隔保持部材５００は、第１側壁部１２０、第２側壁部４１４、および回路基板ＰＣＢを加圧する。これによって、回路基板ＰＣＢは第２側壁部４１４に密着するようになる。接着剤を別に使用しなくても、回路基板ＰＣＢは、第１支持部材４１０に固定されるようになる。
【００５７】
一方、他の実施形態では、接続部５３０は、第１挿入溝１２０−Ｇ、第２挿入溝ＰＣＢ−Ｇ、および第３挿入溝４１４−Ｇのうちのいずれか１つのみに挿入、または、第２挿入溝ＰＣＢ−Ｇと第３挿入溝４１４−Ｇのみに挿入されてもよい。
【００５８】
図５Ｂに示したように、第２支持部材４２０は、導光体ＬＧと第１側壁部１２０との間の間隔Ｗ２０を一定に保持する。第２支持部材４２０は間隔保持部材５００と共に導光体ＬＧを固定させる。
【００５９】
別に図示していないが、表示装置は、表示パネル２００に提供される光の効率を高めるために、光学シートと反射シートとをさらに含んでもよい。
【００６０】
光学シートは、導光体ＬＧと表示パネル２００との間に配置されている。光学シートは、導光体ＬＧ上に配置されたプリズムシートを含んでもよい。プリズムシートは、導光体ＬＧの第１面ＵＳから出射された光を上側の表示パネル２００の平面に垂直な方向に集光する役割を実行する。プリズムシートを通過した光は、殆ど表示パネル２００に垂直に入射される。
【００６１】
また、光学シートは、導光体ＬＧの第１面ＵＳから出射された光を拡散させる拡散シートをさらに含んでもよい。拡散シートは、導光体ＬＧとプリズムシートとの間に配置されるとよい。
【００６２】
反射シートは、導光体ＬＧの下側に配置されている。反射シートは、導光体ＬＧの第２面（図示しない）などに漏洩された光を反射させて、導光体ＬＧに再入射させる。
【００６３】
図６Ａ〜図６Ｃは、本発明の一実施形態による表示装置の一部を拡大して示した図である。以下、図６Ａ〜図６Ｃを参照して本発明の一実施形態による表示装置を説明する。但し、図１〜図５Ｂを参照して説明した構成と同じ構成の詳細な説明は省略する。
【００６４】
第２側壁部４１４の外面は、第１側壁部１２０の内面と接触している。回路基板ＰＣＢは、第２側壁部４１４の内面と接触している。接触部５１０は、入光面ＣＳ１と回路基板ＰＣＢの一面と接触している。複数の発光ブロックＬＢの出射面ＬＢＳと入光面ＣＳ１との間の間隔Ｗ１０は、接触部５１０によって一定に保持される。
【００６５】
第１挿入溝１２０−Ｇ１０、第２挿入溝ＰＣＢ−Ｇ、および第３挿入溝４１４−Ｇは並んで整列されている。第２挿入溝ＰＣＢ−Ｇ、および第３挿入溝４１４−Ｇの形状は、全て同一である。第１挿入溝１２０−Ｇ１０、第２挿入溝ＰＣＢ−Ｇ、および第３挿入溝４１４−Ｇは、互いに異なる形状を有する。間隔保持部材５００を第１挿入溝１２０−Ｇ１０、第２挿入溝ＰＣＢ−Ｇ、および第３挿入溝４１４−Ｇに挿入する過程で、固定部５２０に対する接触部５１０の位置は変わらない。
【００６６】
接続部５３０は、第２挿入溝ＰＣＢ−Ｇ、および第３挿入溝４１４−Ｇに挿入される。固定部５２０は、第１挿入溝１２０−Ｇ１０に挿入される。固定部５２０と第１挿入溝１２０−Ｇ１０は互いに同一の形状を有する。固定部５２０と第１側壁部１２０は互いに同一の厚さを有する。これによって、固定部５２０は第１側壁部１２０から突出していない。
【００６７】
図７は本発明の一実施形態による表示装置の分解斜視図であり、図８は図７に示した表示装置の一部の構成に対する分解斜視図である。以下、図７及び図８を参照して本発明の一実施形態による表示装置を説明する。但し、図１〜図５Ｂを参照して説明した構成と同じ構成の詳細な説明は省略する。
【００６８】
図７と図８に示したように、表示装置は、保護部材１００Ｕ、１００Ｌ−１と、表示パネル２００と、バックライトユニット３００−１と、支持部材４１０−１、４２０と、間隔保持部材５００−１とを含んでいる。
【００６９】
保護部材１００Ｕ、１００Ｌ−１は、互いに結合する上部の保護部材１００Ｕと下部保護部材１００Ｌ−１とを含んでいる。上部保護部材１００Ｕと下部保護部材１００Ｌ−１は、表示装置の外面を構成し、他の構成を内部に収容する。
【００７０】
下部保護部材１００Ｌ−１は、表示パネル２００の下側に配置されている。下部保護部材１００Ｌは、底部１１０と底部１１０から上側に折り曲げられた側壁部１２０とを含んでいる。例えば、底部１１０は四角形であるとよい。その場合、側壁部１２０は底部１１０の４つの辺から上側に折り曲げられている。
【００７１】
バックライトユニット３００−１は、光を生成する光源ＬＳ−１と光源ＬＳ−１から受信した光を表示パネル２００方向にガイドする導光体ＬＧとを備えている。
【００７２】
光源ＬＳ−１は回路基板ＰＣＢ−１と、回路基板ＰＣＢ−１に実装された複数の発光ブロックＬＢ−１とを含んでいる。複数の発光ブロックＬＢ−１は、回路基板ＰＣＢ−１の配線に各々接続されている。
【００７３】
回路基板ＰＣＢ−１は、下部保護部材１００Ｌ−１の底部１１０上に配置されている。回路基板ＰＣＢ−１は、導光体ＬＧの入光面ＣＳ１が延びる第１方向Ｄ１に沿って延びている。回路基板ＰＣＢ−１は、少なくとも１つの開口部ＰＣＢ−ＯＰ（以下、第１開口部）を含んでいる。図７と図８とに示したように、回路基板ＰＣＢ−１の両側の末端に２つの第１開口部ＰＣＢ−ＯＰを各々配置することができる。
【００７４】
複数の発光ブロックＬＢ−１の出射面ＬＢＳの各々は、回路基板ＰＣＢ−１の一面に垂直である。後述のように、回路基板ＰＣＢ−１の一面に垂直な出射面ＬＢＳは、回路基板ＰＣＢ−１が第１支持部材４１０−１上に配置されても、導光体ＬＧの入光面ＣＳ１に光を提供することができる。
【００７５】
支持部材４１０−１、４２０は、第１支持部材４１０−１と第２支持部材４２０とを含んでいる。第１支持部材４１０−１は、下部保護部材１００Ｌ−１の底部１１０上に配置されている。第１支持部材４１０−１は、四角形のプレートであってもよい。第１支持部材４１０−１は、回路基板ＰＣＢ−１を支持している。
【００７６】
第１支持部材４１０−１は、少なくとも１つの開口部４１０−ＯＰ（以下、第２開口部）を備えている。第２開口部４１０−ＯＰは、第１開口部ＰＣＢ−ＯＰに重畳する。第２開口部４１０−ＯＰは、第１開口部ＰＣＢ−ＯＰと同じ形状を有するとよい。第１支持部材４１０−１は、２つの第１開口部ＰＣＢ−ＯＰに対応するように配置された２つの第２開口部４１０−ＯＰを含むとよい。
【００７７】
間隔保持部材５００−１は、複数の発光ブロックＬＢと導光体ＬＧの入光面ＣＳ１との間の間隔を一定に保持させる。間隔保持部材５００−１の一部が第１開口部ＰＣＢ−ＯＰ、および第２開口部４１０−ＯＰに挿入される。
【００７８】
図９は、本発明の一実施形態による間隔保持部材の斜視図である。図９に示したように、間隔保持部材５００−１は、接触部５１０−１と、固定部５２０−１と、接触部５１０−１と固定部５２０−１とを接続する接続部５３０−１とを含んでいる。間隔保持部材５００−１は、ポリカーボネート、ポリウレタンのようなプラスチックやシリコンなどで構成することができる。
【００７９】
接触部５１０−１は、入光面ＣＳ１と接触する接触面（図示しない）と、接触面に対向する対向面５１０−Ｓ１とを含んでいる。接続部５３０−１の一側の部分は、接触部５１０−１の対向面５１０−Ｓ１に接続され、接続部５３０−１の他側の部分は、対向面５１０−Ｓ１から突出している。
【００８０】
固定部５２０−１は、接続部５３０−１の末端に接続されている。接続部５３０−１は、四角柱形状であるとよい。四角柱形状の接続部５３０−１の側面は、接触部５１０−１の対向面５１０−Ｓ１に接続され、底面は固定部５２０−１に接続されている。接続部５３０−１は、別の多角柱形状または円柱形状であってもよい。
【００８１】
図１０Ａと図１０Ｂは、本発明の一実施形態による表示装置の一部を拡大して示した図である。図１０Ａは、間隔保持部材５００−１が第１開口部ＰＣＢ−ＯＰと第２開口部４１０−ＯＰに挿入される前の状態を示し、図１０Ｂは間隔保持部材５００−１が第１開口部ＰＣＢ−ＯＰと第２開口部４１０−ＯＰに挿入された状態を示している。
【００８２】
図１０Ａに示したように、第１開口部ＰＣＢ−ＯＰと第２開口部４１０−ＯＰは互いに重畳する。第１開口部ＰＣＢ−ＯＰと第２開口部４１０−ＯＰの各々は、第１部分ＯＰ１と第２部ＯＰ２とを含んでいる。第１部分ＯＰ１は、第１方向Ｄ１に延長された部分であり、第２部分ＯＰ２は、第２方向Ｄ２に延長された部分である。
【００８３】
まず、固定部５２０−１が、第１支持部材４１０−１の下側に配置されるように間隔保持部材５００−１が第１部分ＯＰ１に挿入される。その後、接続部５３０−１が第２部分ＯＰ２に位置するように間隔保持部材５００−１が移動する。図１０Ｂに示したように、接触部５１０−１は、回路基板ＰＣＢ−１の上側に配置され、固定部５２０−１は、第１支持部材４１０−１の下側に配置されている。接続部５３０−１は、第１開口部ＰＣＢ−ＯＰと、第２開口部４１０−ＯＰの第２部分ＯＰ２に位置している。
【００８４】
接触部５１０−１の接触面は、入光面ＣＳ１に接触している。複数の発光ブロックのＬＢの出射面ＬＢＳと入光面ＣＳ１との間の間隔Ｗ３０は、接触部５１０−１によって一定に保持される。
【００８５】
また、間隔保持部材５００−１は、回路基板ＰＣＢ−１と第１支持部材４１０−１とを加圧する。これによって、回路基板ＰＣＢ−１は、第１支持部材４１０−１に密着するようになる。接着剤を別に使用しなくても、回路基板ＰＣＢ−１は、第１支持部材４１０−１に固定するようになる。
【００８６】
以上の実施形態を参照しながら説明したが、当該技術分野の熟練した当業者は、下記の特許請求の範囲に記載した本発明の思想および領域から逸脱しない範囲内で本発明を多様に修正及び変更させることができることを理解することができる。
【符号の説明】
【００８７】
１００Ｕ・・・上部保護部材
１００Ｌ・・・下部保護部材
２００・・・表示パネル
３００・・・バックライトユニット
４１０・・・第１支持部材
４２０・・・第２支持部材
５００・・・間隔保持部材
【図１】
2014063134.tif 000003
【図２】
2014063134.tif 000004
【図３】
2014063134.tif 000005
【図４Ａ】
2014063134.tif 000006
【図４Ｂ】
2014063134.tif 000007
【図５Ａ】
2014063134.tif 000008
【図５Ｂ】
2014063134.tif 000009
【図６Ａ】
2014063134.tif 000010
【図６Ｂ】
2014063134.tif 000011
【図６Ｃ】
2014063134.tif 000012
【図７】
2014063134.tif 000013
【図８】
2014063134.tif 000014
【図９】
2014063134.tif 000015
【図１０Ａ】
2014063134.tif 000016
【図１０Ｂ】
2014063134.tif 000017